(57)【要約】      （修正有）【課題】集塵サイクロンの内部に高温排ガスの旋回流れをスムーズに下降させて高温排ガスに含まれる粒状物を効率よく集塵し、かつ高温排ガスを熱源とし被伝熱気体に効率よく熱交換して高温排ガスの熱エネルギを回収すること。【解決手段】熱交換器付き集塵サイクロンＡは、筒状ケーシング１の上方のヘッド部１U でその接線方向に接続された導入管２から導入される高温排ガスＧをゆるやかに旋回させ、筒状ケーシング１の下方へ下降させつつ複数の案内羽根４で旋回流を速くして遠心力により媒塵、粉塵などの粒状物を周壁に移動させて比較的粗大な粒状物を分離、除去し、筒状ケーシング１内に設けた導出管３から粒状物を除去された高温排ガスＧを外部へ送り出し、その間に筒状ケーシング１の外側に設けたジャケット５との隙間に下方の送気管６から上方へ被伝熱気体ａ（空気）を旋回させながら上昇させ、熱回収する。【選択図】図１
2006116472.tif 000002
【特許請求の範囲】
【請求項１】
上端を閉じ下方を円錐状とし下端を開口した筒状ケーシングと、この筒状ケーシングの上方で筒状ケーシングに対して接線方向に接続した高温排ガスを導入する導入管と、筒状ケーシング内の中央で下端を開口し、上部を筒状ケーシング上端から突出して設けた高温排ガスの導出管とを備え、筒状ケーシングと導出管との間のスペースに高温排ガスの旋回流の流速を速めて遠心力を増すように案内する案内羽根を設け、筒状ケーシングの外周に被伝熱気体を流通させ熱交換するためのジャケットを配設し、このジャケットに被伝熱気体を導入して高温排ガスとの間で熱交換し得るように形成した熱交換器付き集塵サイクロン。
【請求項２】
前記各案内羽根を筒状ケーシング内で下方へ下がるにつれて円弧状に湾曲して設け、かつ下方の曲げ半径を上方より小さくして高温排ガスの上方の通過断面積より下方の通過断面積を縮小させ、これにより旋回流の流速を速めるように案内羽根を設けたことを特徴とする請求項１に記載の熱交換器付き集塵サイクロン。
【請求項３】
前記ジャケット内に導入される被伝熱気体の流量を高温排ガスの流量に対し所定割合以下の範囲で導入し得るようにジャケットの隙間を設定し、かつ複数の送気管を多段状に設け、高温排ガスの流量に対応して送気管の作動本数を増減させ、被伝熱気体の熱回収量を所定量に保持し得るようにしたことを特徴とする請求項１又は２に記載の熱交換器付き集塵サイクロン。
【請求項４】
前記筒状ケーシングのヘッド部の内径を筒状ケーシングの径より所定寸法だけ大径とし、導入される高温排ガスの旋回流の流速を緩やかにして高温排ガスの径方向の外周付近での温度分布を均一化したことを特徴とする請求項１乃至３のいずれかに記載の熱交換器付き集塵サイクロン。
【発明の詳細な説明】
【技術分野】
【０００１】
この発明は、高温排ガスに含まれる比較的粒径の大きい媒塵、粉塵等を集塵し、かつ高温加熱空気を供給するための熱交換器を備えた熱交換器付き集塵サイクロンに関する。
【背景技術】
【０００２】
汚泥あるいは産業廃棄物等を焼却処理する焼却炉、ボイラ、高温溶融炉等から排出される高温排ガスは、一般に排ガスに含まれる媒塵、粉塵等の比較的粒径の大きい粗粒状物を除去し易くするため、冷却器により温度を少し下げた後、サイクロン等の集塵機で粗粒状物を除去し、さらに電気集塵機等により微粒状の媒塵、粉塵を二次分離する処理システムが設置される。このようなシステム内にサイクロン形集塵機として設置される集塵熱交換器について特許文献１は開示している。
【０００３】
この公報による集塵熱交換器は、上部に高温排ガスを導入する導入管を設け、下方を円錐状とし最下部に開閉口を設けた筒状ケーシングと、その中央下部に下向きに開口させた排ガスを導出する導出管と、ケーシング内にその長手方向に配設された被伝熱ガスを導通させる多数本の伝熱管とを備えたというものである。この装置の実際の例では、導入管は筒状ケーシングに対し、上部で接線方向に沿って設けられ、筒状ケーシングとその中央の導出管との間のスペースに複数本の伝熱管がケーシング長手方向に配設されている。
【０００４】
そして、分配室から分配されて被伝熱ガスが伝熱管に送り込まれると、高温排ガスと被伝熱ガスとの間で有効に熱交換され、これにより高温排ガスから塵埃を除去し、かつその熱量を有効に回収できるとされている。又、この装置では集塵機能と熱交換機能とを組合わせて設けた構成を有するため、据付面積を極力小さくすることが可能となり、集塵効率と熱交換効率に優れ、熱交換効率が低下し難いと記載されている。
【０００５】
しかし、上記特許文献１の集塵熱交換器は、筒状ケーシングと排ガスの導出管との間のスペースに複数の伝熱管を配置しているため、これら伝熱管によって排ガスと被伝熱ガスとの間の熱交換は可能であるが、筒状ケーシング内に送りこまれた排ガスに対しこれら複数の伝熱管が排ガスの流れを阻害し、排ガスの旋回流に乱流を生じさせ、伝熱管の本数が多くなればなる程その傾向が増大する。このため、排ガス中に含まれる媒塵、塵埃等の粒子物を旋回流の遠心力により筒状ケーシング内壁へ移動させて分離、除去する機能が低下する。又、伝熱管の表面に媒塵等が堆積して長時間の連続運転が困難となり、運転中の掃除も困難である等種々の問題が伴う。
【０００６】
さらに、上記筒状ケーシング内のスペースに複数の伝熱管を設けるとしても、排ガスの旋回流が生じなくなる程多数の伝熱管を設けることはできないから、伝熱管の本数や伝熱管により熱交換される熱量にも一定の限界がある。又、筒状ケーシングに送り込まれる排ガス量が多くなり旋回流の流速が大きく、排ガスの温度が高温になると、このような形式の集塵熱交換器では対処できなくなることが予想される。
【特許文献１】特開平８−２４７６６９号公報
【発明の開示】
【発明が解決しようとする課題】
【０００７】
この発明は、上記の問題に留意して集塵サイクロンの内部に高温排ガスの旋回流れをスムーズに下降させて高温排ガスに含まれる粒状物を効率よく集塵し、かつ高温排ガスを熱源とし被伝熱気体に効率よく熱交換して高温排ガスの熱エネルギを回収することができる熱交換器付き集塵サイクロンを提供することを課題とする。
【課題を解決するための手段】
【０００８】
この発明は、上記の課題を解決する手段として、上端を閉じ下方を円錐状とし下端を開口した筒状ケーシングと、このケーシングの上方でケーシングに対して接線方向に接続した高温排ガスを導入する導入管と、上記ケーシング内の中央で下端を開口し、上部をケーシング上端から突出して設けた高温排ガスの導出管とを備え、ケーシングと導出管との間のスペースに高温排ガスの旋回流の流速を速めて遠心力を増すように案内する案内羽根を設け、筒状ケーシングの外周に被伝熱気体を流通させ熱交換するためのジャケットを配設し、このジャケットに上記気体を導入して高温排ガスとの間で熱交換し得るように形成した熱交換器付き集塵サイクロンとしたのである。
【０００９】
上記の構成としたこの発明の熱交換器付き集塵サイクロン（サイクロン式集塵機）は、基本的には高温排ガス中に含まれる媒塵、粉塵などの粒状物を集塵除去する集塵機をベースとする。そして、この集塵機に導入される高温排ガスの有する熱エネルギを利用して被伝熱気体に熱を与え有効に熱回収するための熱交換器としての機能も併有する。高温排ガスは筒状ケーシングの上部に接線方向に接続された導入管から導入され、上部でゆるやかな旋回流として筒状ケーシング内を下降し、案内羽根で案内されると流れが加速されて遠心力が作用し、これにより排ガス中の粒状物を外周へ移動させて内壁に到達させ、粒状物を分離、除去しつつ旋回流はケーシング内で下降し、その間に殆どの比較的粗い粒度の粒状物が除去される。除去された粒状物はケーシング内壁に沿って落下し、下端の開口から排出される。
【００１０】
粒状物を除去された高温排ガスは、上部から下方へ下降する間に筒状ケーシングの外周に設けられたジャケット内を流れる被伝熱気体（空気）に対し熱交換して熱エネルギの回収が行なわれる。なお、被伝熱気体は、高温排ガスを排出する焼却炉、ボイラ、高温溶融炉で重油などの燃料を燃焼させるバーナのような燃焼器へ被伝熱気体の空気を上記熱交換器により予熱して高温の燃焼用加熱気体として供給される。従って、予熱された被伝熱気体は上記高温溶融炉等からの高温排ガスを処理するシステム内で利用される。
【００１１】
被伝熱気体は筒状ケーシングの下方まで延びるジャケットの下方から上方へ高温排ガスの旋回流と同方向又は逆方向の旋回流として送り、被伝熱気体への熱交換効率を有効に向上させる。被伝熱気体は高温排ガスに対し流量は数分の１程度で、大気温度から出口温度約５００℃程度の高温に昇温させ、バーナ等の燃焼加熱源として用いることができる程の流量をジャケットへ送り込むようにしている。この集塵サイクロンでは、高温排ガスは筒状ケーシング内に設けられた案内羽根により旋回流としてスムーズに案内され下方へ降下するが、その他に旋回流の流れを阻害する部材は設けられていないから、集塵機として有効に作用する。
【発明の効果】
【００１２】
この発明の熱交換器付き集塵サイクロンは、筒状ケーシング内にその接線方向から高温排ガスを導入しゆるやかな旋回流を生じさせて下降させ、その間に旋回流をさらに速くするように固定された案内羽根により速度を速くし遠心力を作用させて高温排ガス中の粒状物を除去した排ガスを導出管から外部へ排出するように集塵機を構成し、かつ筒状ケーシングの外側にジャケットを設け、このジャケット内で被伝熱気体に熱交換により高温排ガスの熱エネルギを付与して熱回収するように構成したから、高効率の集塵機としての機能を確保しつつ被伝熱気体による熱回収が高効率で可能という効果が得られる。
【発明を実施するための最良の形態】
【００１３】
以下、この発明の実施の形態について図面を参照して説明する。図１は実施形態の熱交換器付き集塵サイクロンＡの主縦断面図を示す。図示のように、この熱交換器付き集塵サイクロンＡは、高温排ガスＧを受け入れる筒状ケーシング１と、この筒状ケーシング１の上方のヘッド部１U で筒状ケーシング１に対して接線方向に接続した高温排ガスＧを導入する導入管２と、上記筒状ケーシング１内に同心状にかつ長さ方向の中央で下端３ａを開口し、上部を筒状ケーシング１のヘッド部１U の上端から突出して設けた高温排ガスＧの導出管３とを備え、軸流サイクロンとして形成されている。筒状ケーシング１のヘッド部１U の上端は端板１T で閉じられ、その中央に端板１T から突出するように導出管３が設けられている。
【００１４】
ヘッド部１U の内側に設けられる高耐熱摩耗材８の内径は、筒状ケーシング１の内径より直径比で２割程度大きく形成し、接線方向から流入する高温排ガスをゆるやかな旋回流とすることによって高温排ガス、煤塵をドーナツ状の全断面内に分散させるようにしている。高耐熱摩耗材８については後で説明する。導出管３は長さ方向の径が長さ中央部のテーパ部３ｃにより上方が下方より小径の異径状に形成され、上端の開口３ｂが次工程の処理部へ連絡管（図示せず）により接続されている。
【００１５】
又、導出管３と筒状ケーシング１の内周面との間のスペースには、筒状ケーシング１の長さ方向に旋回して下降する高温排ガスＧにさらに旋回流の流速を増速するための案内をする案内羽根４が導出管３の外周面に沿って所定間隔で複数枚（図示の例では１０〜１２枚）設けられている。この案内羽根４は、下方に下がるにつれてその案内面が曲線状に曲げられ、かつ隣接案内羽根間の通過面積が下方に下がるにつれて縮小するように設けられているため、高温排ガスＧの旋回流が下降するとその案内面により旋回流を案内しながら旋回流の速度を速くし、これにより遠心力を生じさせて筒状ケーシングの内周面側へ高温排ガスＧ中の粒状物（ダスト）を移動させ、分離、除去する。
【００１６】
上記案内羽根４は、図３に示すように、複数の案内羽根の下方に下がるにつれて円弧状に湾曲させ、その円弧の先端の位置と隣接する案内羽根との（流れと直角方向での）間隔が狭くなり、このため流速が増すこととなる。図３の（ａ）図は部分断面斜視図、（ｂ）図は導出管３に固定された案内羽根４を展開して示した図、（ｃ）図は（ｂ）図の断面位置（イ）と（ロ）で見た案内羽根４の断面を示す。（ｂ）図に示す各案内羽根４の下方先端位置の角度が増すに従って隣接する案内羽根との間隔が狭くなる（Ｓ0 ＞Ｓ1 ）。このとき、図中の案内羽根４下方先端の位置、即ち角度を変えて流速を微調整する。これにより旋回流の流速を速くすることができる。但し、各案内羽根４の円弧部分の半径Ｒ0 は円弧全周に亘って一定で、かつそれぞれ同一半径Ｒ0 である。なお、上記案内羽根４は導出管３の外周面に設けた例を示したが、筒状ケーシング１の内周面に取付けてもよい。
【００１７】
筒状ケーシング１の下方はテーパ状の円錐部１D とされ、下端の開口１E から粒状物を排出するようになっている。なお、この開口１E にはダストチャンバ９が接続され、このダストチャンバ９はサイクロンで捕集したダストを一時的にプールする。内部ではダストは遠心力の影響を受けて常に旋回、流動し、自動排出弁によって常時排出することができる。ダストチャンバ９は、ダスト排出口から器外のガス（気体）がリークした場合に、一旦捕集した煤塵、粉塵をこのリークガスによって巻き上げて排気ガスに再混入しないようにするために設けられている。筒状ケーシング１の外側には、筒状ケーシング１の上部のヘッド部１U を除き、その長さ方向の円錐部１D の一部を含む長さに亘って被伝熱気体ａ（空気）を流通させるためのエアージャケット５が筒状ケーシング１を囲む二重の筒状体として設けられている。
【００１８】
上記エアージャケット５の下端は端板５E で閉じられ、その下端にはエアージャケット５の外周の接線方向に被伝熱気体ａ（空気）を送り込むための送気管６が取付けられている。この送気管の気体導入口６ａから送り込まれた被伝熱気体ａは（後述するガイド板で）螺旋状に旋回、上昇し、筒状ケーシング１内を旋回しながら下降する高温排ガスＧとの間で熱交換され、高温排ガスＧの有する熱を回収する。筒状ケーシング１のヘッド部１U との境界位置には被伝熱気体ａを集合するための環状室７が取付けられ、その一側部に被伝熱気体ａを外部へ取り出す気体取出口６ｂが設けられており、これに接続される連絡管（図示省略）により外部へ熱回収された気体が送り出される。
【００１９】
エアージャケット５と筒状ケーシング１の間は高温排ガスＧより少ない流量の被伝熱気体ａを旋回上昇させるように小さい寸法の隙間として形成されており、この隙間には図２の（ｂ）図に示すように高温排ガスＧの旋回流の方向と同方向（時計方向）に旋回させるように案内するガイド板５ａ（図４の（ｂ）図参照）が螺旋状に設けられている。このため筒状ケーシング１とエアージャケット５、ガイド板５ａにより形成される向流式の熱交換器で高温排ガスＧと被伝熱気体ａは高効率に熱交換されるようになっている。なお、被伝熱気体ａの旋回方向は高温排ガスＧの旋回方向と同一又は逆方向のいずれでもよい。
【００２０】
筒状ケーシング１の上方のヘッド部１U の内側には高温排ガスＧを受け入れる際の旋回流に含まれる高温排ガスＧ中の媒塵、粉塵等の粒状物による摩耗に耐え得るように耐火性、断熱性、耐摩耗性のキャスタブルや断熱ボードを含む積層状の高耐熱摩耗材８が、内周面及び天井面に沿って取付けられ、かつこの高耐熱摩耗材８は導入管２の内面にも延びて取付けられている。又、この例では高耐熱摩耗材８の内径面は筒状ケーシング１の内径より所定寸法だけ径を大きく設定され、当然このヘッド部１U の外径も大きい径として形成されている。これは導入された高温排ガスＧの旋回流速を低下させ、内周断面内での温度を均一化するためである。その詳細は後で説明する。
【００２１】
９はダストチャンバ、１０、１１、１２は保守点検用のマンホール、１３は筒状ケーシングの収縮継手である。又、図示していないが、この装置を設置する場合、筒状ケーシング１の長さ方向の中間位置に取付けられたブラケットを支持フレームで支持し、筒状ケーシング１を吊下げるようにして設置される。筒状ケーシング１の下方には適宜位置に振止めが複数箇所設けられているが、簡略化のため図示省略している。
【００２２】
さらに、図示の例では送気管６はジャケット５の下端に１つだけ接続しているが、実際の例ではその上方に所定の間隔で２〜３箇所増設し、被伝熱気体ａの量を接続管の途中に設けられた流量制御弁を開閉して適宜調整することができるようになっている。これは、導入管２から送り込まれる高温排ガスＧの流量が大きく変動する場合に、その変動に対応して被伝熱気体ａの量を調整するためである。
【００２３】
上記のように構成した実施形態の熱交換器付き集塵サイクロンＡは、焼却炉等から排出される高温排ガスＧの熱交換処理を、高温排ガスＧに含まれる媒塵、粉塵を集塵しながら有効に行なうことができる。なお、図示の熱交換器付き集塵サイクロンＡは、汚泥処理（乾燥、溶融）設備における高温排ガスＧの処理システムの構成要素の１つであるサイクロン形集塵装置として設けることを目的としたものであるが、集塵機能を果すと共に熱源としての高温排ガスＧの熱エネルギを加熱空気として回収し、この加熱空気を施設の他の種々の用途、特に前述したように、高温溶融炉等の燃焼バーナ等への燃焼用熱源として利用できるようにしたものである。
【００２４】
熱源である高温排ガスＧが焼却炉等から導入管２へ送られて来ると、筒状ケーシング１のヘッド部１U 内でゆるやかな旋回流を生じ、かつ下方へと降下する。ヘッド部１U 内ではゆるやかな旋回流により高温排ガスＧ、媒塵、粉塵等の粒状物をヘッド部１U 内の全断面（ドーナツ状）に均一に分散させる。
【００２５】
ヘッド部１U 内では、導入管２により筒状ケーシング１の内径より径の大きいスペース内で高温排ガスＧは旋回するため、高温排ガス流内の特に外周辺付近の温度分布が均一化され、下方の筒状ケーシング１内へ下降する際にも周方向に均一温度分布のまま旋回する。但し、上部から下部へ下降するにつれて温度は低くなる。筒状ケーシング１内では旋回流は中間位置に設けられている複数の案内羽根４によって形成される案内流路内を下降するにつれて流速が速くなり、このため遠心力が作用して煤塵等の粒状物が筒状ケーシング１の内面に移動して、摩擦、旋回しながら下降し、捕捉される（サイクロン分離効果）。
【００２６】
こうして、比較的粗大な粒状物の殆どを分離、除去された高温排ガスＧは導出管３の下端の開口３ｂの付近で旋回下降から転じて導出管３の下端３ａへと向きを変え、導出管３内を上昇し、外部へと送り出される。図中の白ヌキの矢印は被伝熱気体ａの流れ、ハッチング付きの矢印は高温排ガスＧの流れ、黒矢印はダストの移動方向を示している。このような高温排ガスＧに含まれる粒状物の分離、除去による集塵作用の間に、図示の装置では、例えば８５０℃程度の高温排ガスＧによりジャケット５内の被伝熱気体ａは熱交換作用で高温の燃焼用加熱気体として加熱される（バーナへの加熱源として予熱される）。
【００２７】
被伝熱気体ａ（空気）を、例えば２０℃程度の標準温度の気体として送気管６から送ると、この気体はジャケット５内で旋回しながら上昇し、筒状ケーシング１の長さ方向半分より上方で高温排ガスＧと被伝熱気体ａとの間で熱交換が行なわれる。但し、高温排ガスＧは、例えば流量約１４０００〜約２１０００Ｎｍ3 ／Ｈr.であるのに対し、被伝熱気体ａは約２３００〜約４０００Ｎｍ3 ／Ｈr.というように、被伝熱気体ａは約１／５〜１／６程度と流量が小さいため、被伝熱気体ａは出口温度で５００℃という高い温度に熱交換により加熱され、効率のよい熱回収が行なわれる。
【００２８】
又、上記ジャケット５と筒状ケーシング１との間の熱交換部位には高温排ガスが旋回しており、その温度分は周均一温度（円周同レベル均一温度）であり、このため熱源の温度斑がなく被伝熱気体の熱交換にも斑がなく、スムーズに熱交換が行なわれる。この場合、熱源の軸流サイクロン（集塵サイクロン）では、中間部で縮流を生じる領域でガス密度が高く高温の領域であるが、下降するにつれて高温排ガスが希薄になり、温度も下がる。高温排ガスは煤塵等が分離された後、遠心力が衰えてくると次第に機器の中央へ移動して機外へ排出される。上記高温領域以降は、器内の雰囲気温度や高温部からの伝導熱となり、温度は低くなる。
【００２９】
さらに、筒状ケーシング１の内壁に移動した煤塵、粉塵が伝熱面を摩擦しながら通過するため、同面に煤塵等の付着、堆積が全くなく、熱回収率の劣化はなく、長時間安定した性能を有する。この摩擦では部材の摩耗に至ることはない。上記、集塵サイクロンでは、その低温度のジャケット下部から被伝熱気体の空気を流入させ、熱輻射面を網羅する流れによって熱吸収を行い、低温部から高温部へ移動し、予め設定した温度まで上昇して熱交換を終えた高温の燃焼用予熱空気は、上部の環状室７から機外へ供給される。
【産業上の利用可能性】
【００３０】
この発明の熱交換器付き集塵サイクロンは、集塵サイクロンに高温排ガスを導入し、その外側にジャケットを設けて被伝熱気体に熱エネルギを熱交換して与え、熱回収をするようにしたから、高効率の集塵機でありかつ熱回収をし得る熱交換器として、高温排ガスを発生する焼却炉などの施設の排ガス処理システムなどに広く利用できる。
【図面の簡単な説明】
【００３１】
【図１】実施形態の熱交換器付き集塵サイクロンの主縦断面図
【図２】図１の（ａ）矢視IIａ−IIａの断面図、（ｂ）矢視IIＢ−IIｂの断面図、（ｃ）矢視IIｃ−IIｃの断面図
【図３】同上の熱交換器付き集塵サイクロンの（ａ）案内羽根部の部分拡大斜視図、（ｂ）案内羽根部分の部分展開図、（ｃ）（ｂ）図の位置（イ）、（ロ）での部分断面図
【図４】熱交換器付き集塵サイクロンの作用の説明図
【符号の説明】
【００３２】
１    筒状ケーシング
１U   ヘッド部
１D   円錐部
１E   開口
２    導入管
２ａ  導入口
３    導出管
３ａ  下端
３ｂ  開口
４    案内羽根
５    ジャケット
５E   端板
６    送気管
６ａ  気体導入口
６ｂ  気体取出口
７    環状室
８    高耐熱摩耗材
９    ダストチャンバ
【図１】
2006116472.tif 000003
【図２】
2006116472.tif 000004
【図３】
2006116472.tif 000005
【図４】
2006116472.tif 000006